(57)【要約】本発明は、中心軸、前面および反対側の後面を備えた交代視型コンタクトレンズに関する。前面は、光学ゾーンと、最初の凝視における目の上のコンタクトレンズの位置および/または遠距離にある対象物の凝視から中間距離にある対象物の凝視または近距離の対象物の凝視へ目を動かしたとき目を横切る移動量を制御することができる傾斜隆起ゾーンとを有する。傾斜隆起ゾーンは、光学ゾーンの下方に配置され、上部エッジと、下部傾斜エッジと、前面から外方に延びる緯度方向隆起部と、下部傾斜エッジから下方に延びる傾斜部とを含み、目の下瞼が傾斜隆起ゾーンに当たる場所に依存して傾斜隆起ゾーンと下瞼との間の様々な度合いの相互作用を確保する曲率または傾きを有する。目の下瞼が、傾斜隆起ゾーンの少なくとも一部に常に接している。
2005534064.tif 000002
【特許請求の範囲】
【請求項１】
中心軸、前面および第１の光学ゾーンを有する反対側の後面を備えた交代視型コンタクトレンズであって、前面が、
上側エッジおよび下側エッジを有する第２の光学ゾーンと、
最初の凝視における目の上のコンタクトレンズの位置および/または遠距離にある対象物の凝視から中間距離にある対象物の凝視または近距離の対象物の凝視へ目を動かすときに目を横切る移動量を制御することができる傾斜隆起ゾーンとを有しており、
傾斜隆起ゾーンが、第２の光学ゾーンの下方に配置され、上部エッジと、下部傾斜エッジと、前面から外方に延びる緯度方向隆起部と、下部傾斜エッジから周囲の面へ下方に延びる傾斜部とを含み、目の下瞼が傾斜隆起ゾーンに当たる場所に依存して傾斜隆起ゾーンと下瞼との間の様々な度合いの相互作用を提供する曲率または傾きを有し、
目の下瞼が、傾斜隆起ゾーンの少なくとも一部に常に接している、交代視型コンタクトレンズ。
【請求項２】
第１の光学ゾーンおよび第２の光学ゾーンの少なくとも一方が、
遠方視力矯正用の遠方視ゾーンであって、目の瞳孔の実質的な部分を覆うのに十分である第１の領域を有し、実質的に水平方向の点を凝視するときに瞳孔が遠方視ゾーンによって実質的に区画されるような光学ゾーン内の第１の位置に配置された遠方視ゾーンと、
近方視力矯正用の近方視ゾーンであって、遠方視ゾーンから半径方向に外方に延び、瞳孔の実質的な部分を覆うのに十分である第２の領域を有し、実質的に水平方向の点より下の近方視点を凝視するときに瞳孔が近方視ゾーンによって実質的に区画されるような光学ゾーン内の第２の位置に配置された近方視ゾーンを有する、請求項１記載の交代視型コンタクトレンズ。
【請求項３】
前面がさらに、
第２の光学ゾーンの上側エッジから外方に延びる非隆起ゾーンと、
隆起ゾーンから第２の光学ゾーンへ滑らかな移行を提供する、第２の光学ゾーンの下側エッジから傾斜隆起ゾーンの上部エッジへ延びる移行ゾーンと、
後面および前面が互いに交わる細い端部へ向かって先細になっている、非隆起ゾーンおよび傾斜隆起ゾーンの下部傾斜エッジから半径方向に外方に延びるレンチクラールゾーンとを有する、請求項２記載の交代視型コンタクトレンズ。
【請求項４】
遠方視ゾーンの曲率中心が、中心軸上にまたは中心軸の極めて近傍にある、請求項３記載の交代視型コンタクトレンズ。
【請求項５】
中心軸から遠方視ゾーンの曲率中心のずれによって生じるプリズム効果が、１プリズムジオプター以下である、請求項４記載の交代視型コンタクトレンズ。
【請求項６】
遠方視ゾーンが楕円形状を有している、請求項３記載の交代視型コンタクトレンズ。
【請求項７】
傾斜隆起ゾーンが、第１の側部エッジおよび第２の側部エッジを有し、非隆起ゾーンが、第２の光学ゾーンの上側エッジ、傾斜隆起ゾーンの第１の側部エッジおよび傾斜隆起ゾーンの第２の側部エッジから外方に延び、非隆起ゾーンが、非隆起ゾーン、第２の光学ゾーン、傾斜隆起ゾーンおよび移行ゾーンが実質的に目の角膜全体を覆うように十分な領域を有する、請求項３記載の交代視型コンタクトレンズ。
【請求項８】
傾斜部が０．１〜１．０ｍｍの半径を有する曲面からなる、請求項７記載の交代視型コンタクトレンズ。
【請求項９】
半径が０．２〜０．４ｍｍである、請求項８記載の交代視型コンタクトレンズ。
【請求項１０】
傾斜隆起ゾーンの全体が一次導関数および/または二次導関数で連続である、請求項２記載の交代視型コンタクトレンズ。
【請求項１１】
傾斜隆起ゾーンが、スプラインを基礎とした数学的関数によって規定され、またはいくつかの異なる表面パッチからなる、請求項１０記載の交代視型コンタクトレンズ。
【請求項１２】
前面が、一次導関数および/または二次導関数で、中心からエッジへ連続である、請求項２記載の交代視型コンタクトレンズ。
【請求項１３】
緯度方向隆起部が、非均一に変化する高さプロファイルを有する、請求項２記載の交代視型コンタクトレンズ。
【請求項１４】
緯度方向隆起部が、緯度方向隆起部を中央で２つの等しい部分に切り、かつ中心軸を含む平面に関して鏡面対称である、請求項１３記載の交代視型コンタクトレンズ。
【請求項１５】
コンタクトレンズがソフトコンタクトレンズである、請求項２記載の交代視型コンタクトレンズ。
【請求項１６】
第１の光学ゾーンおよび第２の光学ゾーンの少なくとも一方が、
遠方視力矯正用の遠方視ゾーンであって、目の瞳孔の実質的な部分を覆うのに十分である第１の領域を有し、実質的に水平方向の点を凝視するときに瞳孔が遠方視ゾーンによって実質的に区画されるような光学ゾーン内の第１の位置に配置された遠方視ゾーンと、
中間視力矯正用の中間視ゾーンであって、遠方視ゾーンから半径方向に外方に延び、瞳孔の実質的な部分を覆うのに十分である第２の領域を有し、実質的に水平方向の点より下の中間視点を凝視するときに瞳孔が中間視ゾーンによって実質的に区画されるような光学ゾーン内の第２の位置に配置された中間視ゾーンと、
近方視力矯正用の近方視ゾーンであって、中間視ゾーンから半径方向に外方に延び、瞳孔の実質的な部分を覆うのに十分である第３の領域を有し、中間視の点より下の近方視点を凝視するときに瞳孔が近方視ゾーンによって実質的に区画されるような光学ゾーン内の第３の位置に配置された近方視ゾーンとを有する、請求項１記載の交代視型コンタクトレンズ。
【請求項１７】
前面がさらに、
第２の光学ゾーンの上側エッジから外方に延びる非隆起ゾーンと、
隆起ゾーンから第２の光学ゾーンへ滑らかな移行を提供する、第２の光学ゾーンの下側エッジから傾斜隆起ゾーンの上部エッジへ延びる移行ゾーンと、
後面および前面が互いに交わる細い端部へ向かって先細になっている、非隆起ゾーンおよび隆起ゾーンの下部エッジから半径方向に外方に延びるレンチクラールゾーンとを有する、請求項１６記載の交代視型コンタクトレンズ。
【請求項１８】
傾斜隆起ゾーンが、第１の側部エッジおよび第２の側部エッジを有し、非隆起ゾーンが、第２の光学ゾーンの上側エッジ、傾斜隆起ゾーンの第１の側部エッジおよび傾斜隆起ゾーンの第２の側部エッジから外方に延び、非隆起ゾーンが、非隆起ゾーン、第２の光学ゾーン、傾斜隆起ゾーンおよび移行ゾーンが実質的に目の角膜全体を覆うように十分な領域を有する、請求項１７記載の交代視型コンタクトレンズ。
【請求項１９】
傾斜隆起ゾーンの全体が一次導関数および/または二次導関数で連続である、請求項１６記載の交代視型コンタクトレンズ。
【請求項２０】
傾斜隆起ゾーンが、スプラインを基礎とした数学的関数によって規定され、またはいくつかの異なる表面パッチからなっている、請求項１９記載の交代視型コンタクトレンズ。
【請求項２１】
前面が、一次導関数および/または二次導関数で、中心からエッジへ連続である、請求項１６記載の交代視型コンタクトレンズ。
【請求項２２】
緯度方向隆起部が、非均一に変化する高さプロファイルを有する、請求項１６記載の交代視型コンタクトレンズ。
【請求項２３】
緯度方向隆起部が、緯度方向隆起部を中央で２つの等しい部分に切り、かつ中心軸を含む面に関して鏡面対称である、請求項２２記載の交代視型コンタクトレンズ。
【請求項２４】
コンタクトレンズがソフトコンタクトレンズである、請求項１６記載の交代視型コンタクトレンズ。
【請求項２５】
中間視ゾーンが、遠方視から近方視へ連続的に変化する屈折力を有する累進屈折力ゾーンである、請求項１６記載の交代視型コンタクトレンズ。
【請求項２６】
第１の光学ゾーンおよび第２の光学ゾーンのうち少なくとも一方が、乱視の矯正のための円柱状の光学面を含む、請求項１記載の交代視型コンタクトレンズ。
【請求項２７】
前面がさらに、
第２の光学ゾーンの上側エッジから外方に延びる非隆起ゾーンと、
隆起ゾーンから第２の光学ゾーンへ滑らかな移行を提供する、第２の光学ゾーンの下側エッジから傾斜隆起ゾーンの上部エッジへ延びる移行ゾーンと、
後面および前面が互いに交わる細い端部へ向かって先細になっている、非隆起ゾーンおよび傾斜隆起ゾーンの下部傾斜エッジから半径方向に外方に延びるレンチクラールゾーンとを有する、請求項２６記載の交代視型コンタクトレンズ。
【請求項２８】
傾斜部が０．１〜１．０ｍｍの半径を有する曲面からなる、請求項２７記載の交代視型コンタクトレンズ。
【請求項２９】
傾斜隆起ゾーンの全体が一次導関数および/または二次導関数で連続である、請求項２７記載の交代視型コンタクトレンズ。
【請求項３０】
傾斜隆起ゾーンが、スプラインを基礎とした数学的関数によって規定され、またはいくつかの異なる表面パッチからなる、請求項２９記載の交代視型コンタクトレンズ。
【請求項３１】
前面が、一次導関数および/または二次導関数で、中心からエッジへ連続である、請求項２７記載の交代視型コンタクトレンズ。
【請求項３２】
緯度方向隆起部が、非均一に変化する高さプロファイルを有する、請求項２７記載の交代視型コンタクトレンズ。
【請求項３３】
緯度方向隆起部が、緯度方向隆起部を中央で２つの等しい部分に切り、かつ中心軸を含む面に関して鏡面対称である、請求項３２記載の交代視型コンタクトレンズ。
【請求項３４】
コンタクトレンズがソフトコンタクトレンズである、請求項２７記載の交代視型コンタクトレンズ。
【請求項３５】
第１の光学ゾーンおよび第２の光学ゾーンの少なくとも一方が、遠方視力矯正のための第１の部分と、第１の部分の下に設けられた近方視力矯正のための第２の部分とを含む、請求項１記載の交代視型コンタクトレンズ。
【請求項３６】
第２の部分が、中心軸の下に配置されている、請求項２記載の交代視型コンタクトレンズ。
【請求項３７】
前面がさらに、
第２の光学ゾーンの上側エッジから外方に延びる非隆起ゾーンと、
隆起ゾーンから第２の光学ゾーンへ滑らかな移行を提供する、第２の光学ゾーンの下側エッジから傾斜隆起ゾーンの上部エッジへ延びる移行ゾーンと、
後面および前面が互いに交わる細い端部へ向かって先細になっている、非隆起ゾーンおよび傾斜隆起ゾーンの下部傾斜エッジから半径方向に外方に延びるレンチクラールゾーンとを有する、請求項３５記載の交代視型コンタクトレンズ。
【請求項３８】
傾斜隆起ゾーンの全体が一次導関数および/または二次導関数で連続である、請求項３７記載の交代視型コンタクトレンズ。
【請求項３９】
傾斜隆起ゾーンが、スプラインを基礎とした数学的関数によって規定され、またはいくつかの異なる表面パッチからなっている、請求項３８記載の交代視型コンタクトレンズ。
【請求項４０】
前面が、一次導関数および/または二次導関数で、中心からエッジへ連続である、請求項３７記載の交代視型コンタクトレンズ。
【請求項４１】
緯度方向隆起部が、非均一に変化する高さプロファイルを有する、請求項３７記載の交代視型コンタクトレンズ。
【請求項４２】
緯度方向隆起部が、緯度方向隆起部を中央で２つの等しい部分に切り、かつ中心軸を含む面に関して鏡面対称である、請求項４１記載の交代視型コンタクトレンズ。
【請求項４３】
コンタクトレンズがソフトコンタクトレンズである、請求項３７記載の交代視型コンタクトレンズ。
【請求項４４】
第１の光学ゾーンおよび第２の光学ゾーンの少なくとも一方が、遠方視力矯正のための第１の部分と、第１の部分の下に設けられた中間視力矯正のための第２の部分と、第２の部分の下に設けられた近方視力矯正のための第３の部分とを有する、請求項３５記載の交代視型コンタクトレンズ。
【請求項４５】
第２の部分が、遠方視から近方視へと連続的に変化する屈折力を有する、請求項４４記載の交代視型コンタクトレンズ。
【請求項４６】
交代視型コンタクトレンズの製造方法であって、中心軸、前面および前面と反対側の後面を有する製造手段によってコンタクトレンズを成形するステップを含み、
後面が、光学ゾーンを有し、
前面が、光学ゾーンと、最初の凝視における目の上のコンタクトレンズの位置および/または遠距離にある対象物の凝視から中間距離にある対象物または近距離の対象物の凝視へ目を動かすときに目を横切る移動量を制御することができる傾斜隆起ゾーンとを含み、
傾斜隆起ゾーンが、光学ゾーンの下に配置され、上部エッジと、下部傾斜エッジと、前面から外方に延びる緯度方向隆起部と、下部傾斜エッジから下方に延びる傾斜部とを含み、下瞼が傾斜隆起ゾーンに当たる場所に依存して傾斜隆起ゾーンと下瞼との間の様々な度合いの相互作用を提供する曲率または傾きを有する、交代視型コンタクトレンズの製造方法。
【請求項４７】
前面が、一次導関数および/または二次導関数で、中心からエッジへ連続である、請求項４６記載の方法。
【請求項４８】
緯度方向隆起部が、非均一に変化する高さプロファイルを有する、請求項４７記載の方法。
【請求項４９】
緯度方向隆起部が、緯度方向隆起部を中央で２つの等しい部分に切り、かつ中心軸を含む面に関して鏡面対称である、請求項４８記載の方法。
【請求項５０】
前記製造手段が数値制御旋盤または型である、請求項４６記載の方法。
【発明の詳細な説明】
【技術分野】
【０００１】
本発明は、コンタクトレンズに関する。特に、本発明は、最初の凝視における目の上のレンズの位置および/または遠距離にある対象物の凝視から近距離にある対象物の凝視へ目を動かすときに目の表面を横切る移動量を制御できる、前面の下部分に傾斜隆起ゾーンを各々有する交代視型コンタクトレンズに関する。
【０００２】
コンタクトレンズは、様々なタイプの異なる視覚異常を矯正するために広く用いられている。これらの視覚異常には、近視および遠視（それぞれ、myopiaおよびhypermetropia）のような欠陥、ならびに通常老化に関連する近方視野での欠陥（老眼、presbyopia）が含まれる。老眼は、年をとって目の水晶体が結晶化してその弾性を失い始めると起こり、最終的には、目が、通常の読書距離のような近距離および場合によっては中間距離で焦点を合わせる能力を失う。老眼の人の中には、近方視力および遠方視力の両方に欠陥を有している人もおり、これらの視力を適切に矯正するためには単焦点レンズの代わりに二焦点レンズまたは多焦点レンズが必要とされる。
【０００３】
典型的な単焦点コンタクトレンズは、レンズが平行光線に対して垂直に配置されている場合に光の平行光線が集まる１つの焦点と、焦点からレンズの中心へ引いた仮想線である光軸とを有している。後面は角膜にフィットし、反対側にある前面は、視力を矯正するように集光する視部面を有している。典型的な球面レンズの場合、視部面は、視部面上の任意の点から曲率中心と呼ばれる光軸上の一点までの距離である単一の曲率半径を有している。
【０００４】
二焦点レンズは、レンズの前面上に少なくとも２つの視部面、遠距離の対象物の凝視のための遠方視面、近くの対象物の凝視（例えば読書時）のための近方視面を有している。一般的には、二焦点コンタクトレンズは、コンセントリック型またはセグメント型の構成を有している。コンセットリック型の従来の二焦点コンタクトレンズでは、中心に配置された円形の第１の矯正ゾーンが、遠方視力矯正部または近方視力矯正部を構成しており、一方、これに対応して、この第１のゾーンを取り囲む環状の第２の矯正ゾーンが、近方視力矯正部または遠方視力矯正部をそれぞれ提供している。セグメント型または交代視型の従来の二焦点コンタクトレンズでは、レンズは、２つの光学ゾーンに分割される。通常、上方のゾーンが遠方視力矯正用であり、下方のゾーンが近方視力矯正用となっている。このような交代視型レンズによれば、レンズの遠方部分（上方のゾーン）は、真直ぐ前方を凝視するときには目の瞳孔の前にあり、下方を凝視するときにはレンズの追加屈折力または近方部分（下方のゾーン）は瞳孔より上に位置するようになる。
【０００５】
二焦点コンタクトレンズの効果的な使用は、遠距離にある対象物の凝視から近距離の対象物の凝視へ目を動かすときに視部面間での目の移動を必要とする。このような場合、瞳孔は、遠方視面内によって区画されるところから近方視面によって区画されるところへ移動しなくてはならない。
【０００６】
さらに、コンピュータの使用が増加するに従って、ますます多くの人々が仕事でおよび家庭でコンピュータを利用する。交代視型コンタクトレンズが、近方視面および遠方視面に加えて、１つまたはそれ以上の中間視面を含むことができることが望ましい。このような交代視型コンタクトレンズは、瞳孔が近方視面、中間視面および遠方視面の一つによって区画されることが可能であるように、いくぶんか目の移動量を制御可能にしなければならない。
【０００７】
二焦点交代視型ハードコンタクトレンズには多くの構成があるものの、ソフトコンタクトレンズでは、目の視線を水平方向の凝視（遠方視）から下方の凝視（近方視）へ動かすときに目の表面を横切る移動が困難となっている。二焦点交代視型ソフトコンタクトレンズに関しては、いくつかのレンズ設計が報告されている（例えば、米国特許第４６１８２７７号明細書、第５０７１２４４号明細書、第５３７１９７６号明細書、第６１０９７４９号明細書参照）。しかし、先行技術には、これらの設計に関連していくつかの欠点がある。先行技術の二焦点交代視型コンタクトレンズでは、快適な装用が得られない。さらに、先行技術の二焦点交代視型コンタクトレンズは、目の表面を横切るコンタクトレンズの移動量を制御することができない。
【０００８】
したがって、遠方視から近方視へと目の位置を変えるときに目の表面を横切る移動が可能であり、かつ装用者に快適さを提供可能な交代視型多焦点ソフトコンタクトレンズが必要とされる。また、遠方視から中間視または近方視へ目の位置を変えるときに目の表面を横切る移動量を制御することのできる交代視型多焦点ソフトコンタクトレンズも必要とされている。
【０００９】
発明の要旨
先行技術の欠点は、一態様では、中心軸、前面および反対側にある後面を有する交代視型コンタクトレンズである、本発明によって克服される。後面は光学ゾーンを有している。前面は、光学ゾーンと、最初の凝視での目におけるコンタクトレンズの位置および/または遠距離にある対象物の凝視から中間距離にある対象物または近距離の対象物の凝視へと目を動かしたときに目を横切る移動量を制御することができる傾斜隆起ゾーンとを含んでいる。傾斜隆起ゾーンは、光学ゾーンより下に配置されており、上部エッジと、下部傾斜エッジと、前面から外方に延びる緯度方向隆起部と、下部傾斜エッジから下方へ延びる傾斜部とを有しており、下瞼が傾斜隆起ゾーンに当たる場所に依存して傾斜隆起ゾーンと下瞼との間の様々な度合いの相互作用を提供する曲率または傾きを有している。目の下瞼は、傾斜隆起ゾーンの少なくとも一部に常に接している。
【００１０】
好ましい実施態様では、前面および後面の光学ゾーンの少なくとも一方が、目のための遠方視力矯正を提供する第１の部分と、この第１の部分の下に配置されている、目のための近方視力矯正を提供する第２の部分とを含んでいる。
【００１１】
別の好ましい実施態様では、前面および後面の光学ゾーンの少なくとも一方が、上側エッジ、下側エッジ、遠方視ゾーンおよび近方視ゾーンを有している。
【００１２】
遠方視ゾーンは、遠方視力の矯正を提供し、目の瞳孔の実質的な部分を覆うのに十分な第１の領域を有しており、目が実質的に水平方向の点を凝視するときに瞳孔が遠方視ゾーンによって実質的に区画されるような光学ゾーン内の第１の位置に配置されている。
【００１３】
近方視ゾーンは、実質的に中心軸に対して同心的になっており、遠方視ゾーンから半径方向に外方に延びている。この近方視ゾーンは、近方視力の矯正を提供し、目の瞳孔の実質的な部分を覆うのに十分な第２の領域を有している。近方視ゾーンは、目が実質的に水平方向の点より下の近方視点を凝視するときに瞳孔が近方視ゾーンによって実質的に区画されるような光学ゾーン内の第２の位置に配置されている。
【００１４】
別の実施態様では、前面および後面の光学ゾーンの少なくとも一方が、上側エッジ、下側エッジ、遠方視ゾーン、中間視ゾーンおよび近方視ゾーンを有している。３つの視力ゾーンを備えた光学ゾーンは、遠方視力矯正（例えば運転時）、中間視力矯正（例えばコンピュータでの仕事）および近方視力矯正（例えば本または新聞を読む時）を提供することができる。中間視ゾーンは、遠方視ゾーンと近方視ゾーンとの間に配置されている。この中間視ゾーンは、中間視力の矯正を提供し、瞳孔の実質的な部分を覆うのに十分である領域を有していて、実質的に水平方向の点の下の中間視点を凝視するときに瞳孔が中間視ゾーンによって実質的に区画されるような光学ゾーン内の位置に配置されている。好ましくは、この中間視ゾーンは、遠方視から近方視へと連続的に変化する屈折力を有する累進屈折力ゾーンである。
【００１５】
別の好ましい実施態様では、前面および後面の光学ゾーンの少なくとも一方が、上側エッジ、下側エッジおよび装用者の乱視を矯正するための円柱状の光学面または屈折力を有している。
【００１６】
別の好ましい実施態様では、前面がさらに、前面の光学ゾーンの上側エッジから外方に延びる非隆起ゾーン、移行ゾーンおよびレンチクラールゾーンを有している。非隆起ゾーンは、光学ゾーンの上側エッジから外方に延びている。移行ゾーンは、光学ゾーンの下側エッジから傾斜隆起ゾーンの上部エッジに延び、傾斜隆起ゾーンから光学ゾーンへ滑らかな移行を提供している。レンチクラールゾーンは、後面および前面が互いに交わる細い端部（エッジ）に向かって先細になっている、非隆起ゾーンおよび傾斜隆起ゾーンの下部傾斜エッジから半径方向に外方に延びている。
【００１７】
別の好ましい実施態様では、傾斜隆起ゾーン全体は、一次導関数および/または二次導関数で連続である。
【００１８】
別の好ましい実施態様では、傾斜隆起ゾーン内の緯度方向隆起部が、１つまたはそれ以上の数学的関数、好ましくは円錐のまたはスプラインを基礎とした数学的関数によって規定され、またはいくつかの異なる表面パッチ（surface patches）からなり、非均一に変化する高さプロファイルを有する。例えば、緯度方向隆起部の両端部の高さは、緯度方向隆起部の中央の高さよりも高くなっている。さらに好ましくは、緯度方向隆起部は、緯度方向隆起部を中央で２つの等しい部分に切り、かつコンタクトレンズの中心軸を含む平面に関して鏡面対称となっている。このような緯度方向隆起部によって、レンズの移動中に下瞼にかかる圧力が瞼のレンズとの相互作用部分へより均一に分散されるので、装用者が得る快適さは増加する。
【００１９】
別の態様では、本発明は、交代視型コンタクトレンズの製造方法を提供する。この方法は、一製造手段によって、中心軸、前面および反対側にある後面を有するようにコンタクトレンズを成形するステップを含み、後面が、光学ゾーンを有し、前面が、光学ゾーンと、最初の凝視における目の上のコンタクトレンズの位置および/または遠距離にある対象物の凝視から中間距離にある対象物または近距離の対象物の凝視へと目を動かすときに目を横切る移動量を制御できる傾斜隆起ゾーンとを有する。傾斜隆起ゾーンは、光学ゾーンの下に配置され、上部エッジと、下部傾斜エッジと、前面から外方に延びる緯度方向隆起部と、下部傾斜エッジから下方に延び、かつ下瞼が傾斜隆起ゾーンに当たる場所に依存して傾斜隆起ゾーンと下瞼との間の様々な度合いの相互作用を提供する曲率および傾きを有する傾斜部とを有している。
【００２０】
本発明のこれらの態様および別の態様は、さらに、以下の好ましい実施態様の詳細な説明によって添付の図面と関連して明らかにする。この詳細な説明および図面は、単に本発明を例示したものであって、本発明の範囲を制限するものではない。本発明は、記載された特許請求の範囲およびこれと均等なものによって規定される。
【００２１】
本明細書および図面で用いられる参照符号が繰り返して使用された場合、本発明の同一または類似の特徴または要素を示すことを意図している。
【発明を実施するための最良の形態】
【００２２】
以下に、本発明の実施態様を詳細に説明する。本発明の範囲または思想から逸脱することなく本発明の様々な変形および変化が可能であることは、当業者には明らかであろう。例えば、一実施態様の一部として例示または説明された特徴を別の実施態様で使用して、さらなる別の実施態様を得ることができる。したがって、本発明が、添付された特許請求の範囲およびそれと均等のものの範囲内でこのような変形および変化を含むことが意図されている。本発明の別の目的、特徴および態様は、以下の詳細な説明により開示され、または明らかにされる。本発明の議論が単なる例示的な実施態様の説明であって、本発明の広い態様を制限することを意図していないことは、当業者に理解され得ることである。
【００２３】
特に定義されなければ、ここで用いられる全ての技術的および科学的用語は、本発明の属する技術分野の当業者によって一般的に理解されるものと同じ意味を有している。通常、ここで用いられる専門用語および実験手法は周知であり、この分野で一般的に用いられているものである。この手法のために、この分野および様々な一般文献で用いられるような従来の方法が用いられる。単数形で用語が記載されている場合、発明者はその複数形も意図している。以下に説明するような、ここで用いられる専門用語および実験手法は、この技術分野で周知でありかつ一般的に用いられている。
【００２４】
図１Ａおよび図１Ｂに示すように、本発明の好ましい実施態様は、最上部１０８、底部１０９、中心軸１０２、後面１０４およびこれと反対側の前面１０６を有するコンタクトレンズである。前面１０６は、光学ゾーン１１０、移行ゾーン１４０、傾斜隆起ゾーン１５０、非隆起ゾーン１６０およびレンチクラールゾーン１７０を具備している。光学ゾーン１１０は、下側エッジ１１４を有しており、遠方視ゾーン１２０および近方視ゾーン１３０を含む。
【００２５】
遠方視ゾーン１２０は、使用者に遠方視力の矯正を提供する。遠方視ゾーン１２０の領域は、使用者の瞳孔１０６ａの実質的な部分を覆うのに十分なものとなっている。遠方視ゾーン１２０は、使用者が実質的に水平方向の点を凝視するときに、使用者の瞳孔１０６ａが遠方視ゾーン１２０によって実質的に区画されるように配置されている。典型的には、遠方視ゾーン１２０は中心軸１０２からずれている。しかし、そのカーブの中心は、中心軸１０２上にあるかまたは中心軸１０２の極めて近傍にある。好ましくは、カーブの中心が中心軸からずれていることによって生じるプリズム効果が、１プリズムジオプターより小さいまたは１プリズムジオプターに等しくなっている。中心１０２から遠方視ゾーン１２０の底部までの距離は、水平方向を凝視するときに、瞳孔１０６ａが遠方視ゾーン１２０によって実質的に区画されることを可能にする最小距離になっているべきである。したがって、遠方視ゾーン１２０は楕円形を有している。
【００２６】
近方視ゾーン１３０は、実質的に中心軸１０２と同心的になっていてかつ遠方視ゾーン１２０から半径方向に外方に延びている。近方視ゾーン１３０は、使用者に近方視力の矯正を提供する。この近方視ゾーン１３０の領域は、瞳孔１０６ｂの実質的な部分を覆うのに十分なものとなっている。近方視ゾーン１３０は、使用者が実質的に水平方向の点より下にある近方視点を凝視するとき（例えば読書中）に、使用者の瞳孔１０６ｂが近方視ゾーン１３０によって実質的に区画されるように配置されている。遠方視ゾーン１２０および近方視ゾーン１３０の両方は、レンズ１００の後面１０４または前面１０６のいずれか一方に配置することができる。
【００２７】
移行ゾーン１４０は、傾斜隆起ゾーン１５０から光学ゾーン１１０への滑らかな移行を提供する。移行ゾーン１４０は、光学ゾーン１１０の下側エッジ１１４から傾斜隆起ゾーンの上部エッジ１５６まで延びている。
【００２８】
レンズ１００は、また、非隆起ゾーン１６０を含み、この非隆起ゾーン１６０は、光学ゾーン１１０の上側エッジ１１２、傾斜隆起ゾーン１５０の第１の側部エッジ１５２および傾斜隆起ゾーン１５０の第２の側部エッジ１５４から外方に延びている。非隆起ゾーン１６０は、レンズに回転安定性を加え、レンズ１００の快適さを向上させる。より快適かつ良好に角膜を覆うために、レンズ１００はレンチクラールゾーン１７０を有していてもよく、このレンチクラールゾーン１７０は、非隆起ゾーン１６０から、および細い端部１７２へ向かって先細になっている傾斜隆起ゾーン１５０の下部傾斜エッジ１５８から、半径方向に外方に延びている。
【００２９】
傾斜隆起ゾーン１５０は、レンズ１００に対する垂直方向の移動の補助を提供する。傾斜隆起ゾーン１５０は、光学ゾーン１１０より下に配置されている。傾斜隆起ゾーン１５０は、上部エッジ１５６、下部傾斜エッジ１５８、第１の側部エッジ１５２、第２の側部エッジ１５４、前面１０６から外方に延びる緯度方向隆起部１５９および下部傾斜エッジからレンチクラールゾーン１７０へと下方に延びる傾斜部１８０を有している。目１０７が下方向へ動くとき、使用者の下瞼１０５は、まず傾斜部１８０、次に下部傾斜エッジ１５８、最後には緯度方向隆起部１５９へと段階的に接することができ、これにより、目１０７の表面を横切るレンズ１００の移動が可能となる。
【００３０】
レンチクラールゾーン１７０から傾斜隆起ゾーン１５０への移行部は、一次導関数で連続であり（互いに接している）、好ましくは二次導関数で連続である。傾斜部１８０は、下瞼が傾斜隆起ゾーンに当たる場所に依存して、傾斜隆起ゾーンと下瞼との間の様々な度合いの相互作用を提供するような曲率または傾きを有している。このような傾斜部によって、目の下瞼は、傾斜隆起ゾーンの少なくとも一部に常に接しており、これによって、最初の凝視（水平方向の凝視）における目の上のレンズの位置、および/または、目が水平方向の（最初の）凝視（遠方視）から下方の凝視（中間または近方視）へ動いたときの目に表面を横切るレンズ移動量に影響を与える。
【００３１】
傾斜隆起ゾーンに傾斜部が設けられていることによる１つの利点は、この傾斜部が、瞼が隆起部を「登る」ための滑らかな移行ゾーンを提供することである。この段階的な接触は、隆起部が常に接しているために、目における快適さが増しかつレンズの刺激が減少するので、装用者に利点をもたらす。
【００３２】
傾斜隆起ゾーンに傾斜部が設けられていることによる別の利点は、この傾斜部の傾きにより最初の凝視（水平方向）における目の上のレンズの位置が決定できることから、所望の視機能のためのレンズ設計を、交代視型コンタクトレンズの製造において高い信頼性をもって実施できることである。
【００３３】
傾斜部は、レンチクラールゾーンから傾斜部ひいては緯度方向隆起部への連続的な移行（一次導関数および二次導関数で連続）を保証する、１つまたはそれ以上のカーブした面から構成することができる。例えば、傾斜部は、図２に示すような簡単なカーブからなっている。傾斜部の傾きはそのカーブの半径に依存する。混合カーブが大きな半径を有する場合には、傾斜部はより長くなり急勾配となる。混合カーブが小さな半径を有する場合、傾斜はより短くなり平らとなる。
【００３４】
図１Ａおよび図１Ｂに示すものと同一のまたは類似の設計を有する二焦点交代視型コンタクトレンズに関して、最初の凝視における目の上の所望のレンズの位置を得るために、傾斜部の曲率が０．１〜１．０ｍｍの半径、好ましくは０．２〜０．６ｍｍの半径を有することができる。
【００３５】
本発明の好ましい実施態様では、本発明の交代視型コンタクトレンズの傾斜隆起ゾーン全体が、一次導関数および/または二次導関数での連続性を有している。このような傾斜隆起ゾーンは、１つまたはそれ以上の数学的関数、好ましくは円錐またはスプラインを基礎とした数学的関数によって規定された連続的な面であっても良く、またはいくつかの異なる表面パッチからなる。
【００３６】
「表面パッチ」とは、互いに、一次導関数で、好ましくは二次導関数で連続のカーブおよび直線の組み合わせを指す。
【００３７】
別の好ましい実施態様では、例えば図３Ａ〜３Ｅおよび図３Ｆ〜３Ｊに示すように、下部傾斜エッジおよび緯度方向隆起部が、移動を容易にしかつ快適さを向上させる形状に変形されている。
【００３８】
図３Ａ〜３Ｅに、好ましい傾斜隆起ゾーンの平らな下部傾斜エッジおよび緯度方向隆起部を含む、本発明の好ましい傾斜隆起ゾーンを有する交代視型コンタクトレンズを概略的に示す。本発明によるこの好ましい傾斜隆起ゾーンは、目の下瞼により良好に収容でき、下瞼のレンズとの相互作用部分全体にわたって移動圧力をより均一に分散させることができる。したがって、このような傾斜した隆起部によって、交代視型コンタクトレンズにおける装用者が得る快適さを改善できる。
【００３９】
図３Ｆ〜３Ｊに、最上部３０８、底部３０９、中心軸３０２、後面３０４およびそれと反対側の前面３０６を有する交代視型コンタクトレンズ３００を概略的に示す。前面３０６は、光学ゾーン３１０、移行ゾーン３４０、傾斜隆起ゾーン３５０、非隆起ゾーン３６０およびレンチクラールゾーン３７０を具備している。
【００４０】
傾斜隆起ゾーン３５０は、上部エッジ、下部傾斜エッジ、前面３０６から外方に延びる緯度方向隆起部および傾斜部を有している。緯度方向隆起部の高さは、中央よりも両端部で高くなっている（図３Ｆ〜３Ｊ）。緯度方向隆起部のこれら２つの端部では、２つのバンプ（３９１，３９２）が形成されている。緯度方向隆起部は、この緯度方向隆起部を中央で２つの等しい部分に切りかつ中心軸を含む平面に関して鏡面対称となっている。このような緯度方向隆起部によって、移動圧力が下瞼のレンズとの相互作用部分全体にわたって均一に分散できるので、装用者が得る快適さを向上させることができる。傾斜隆起ゾーンのこのような好ましい特徴は、円錐のまたはスプラインを基礎とした数学的関数によって規定される、またはいくつかの異なる表面パッチからなる連続的な面を用いることによって得ることができる。
【００４１】
当業者によって容易に理解されるように、視部ゾーンの多数の異なる形状が本発明によって可能である。このような形状の３つの説明的な例を図４Ａ〜４Ｃに示す。
【００４２】
当業者によって容易に理解されるように、上述の二焦点レンズを、三焦点または多焦点レンズに置き代えて、多焦点交代視型コンタクトレンズとすることができる。「多焦点交代視型コンタクトレンズ」とは、二焦点、三焦点または多焦点レンズを含む交代視型コンタクトレンズのことを指す。
【００４３】
多焦点交代視型コンタクトレンズの前面および後面の少なくとも一方の光学ゾーンは、コンタクトレンズの最上部から底部へ向かって、遠方視ゾーン、中間視ゾーンおよび近方視ゾーンを具備している。本発明の多焦点交換視型コンタクトレンズは、コンタクトレンズの前面の下部分に本発明の傾斜隆起ゾーンを有している。この傾斜隆起ゾーンは、下瞼と相互作用して、角膜に対して相対的なレンズの運動に、ひいては目の表面を横切る移動量に影響を与える。多焦点交代視型コンタクトレンズは、最初の凝視（例えば運転時）での遠方視力矯正、半下方凝視（例えばコンピュータでの仕事）での中間視力矯正および全下方凝視（例えば本や新聞を読む時）での近方視力矯正を提供することができる。
【００４４】
本発明の多焦点交代視型コンタクトレンズの前面および後面の少なくとも一方の光学ゾーンの好ましい実施態様は、遠方視ゾーン、この遠方視ゾーンから半径方向に外方に延びる中間視ゾーンおよびこの中間視ゾーンから半径方向に外方に延びる近方視ゾーンを有している。遠方視ゾーンは、遠方視力の矯正を提供しており、目の瞳孔の実質的な部分を覆うのに十分である第１の領域を有していて、実質的に水平方向の点を凝視するときに瞳孔が遠方視ゾーンによって実質的に区画されるような光学ゾーン内の第１の位置に配置されている。中間視ゾーンは、中間視力の矯正を提供しており、瞳孔の実質的な部分を覆うのに十分である第２の領域を有していて、実質的に水平方向の点より下の中間視点を凝視するときに瞳孔が中間視ゾーンによって実質的に区画されるような光学ゾーン内の第２の位置に配置されている。近方視ゾーンは、近方視力の矯正を提供しており、瞳孔の実質的な部分を覆うのに十分である第３の領域を有していて、中間視ゾーンより下の近方視点を凝視するときに瞳孔が近方視ゾーンによって実質的に区画されるような光学ゾーン内の第３の位置に配置されている。目が遠方視（例えば運転時）から中間視（例えばコンピュータでの仕事時）または近方視（例えば本または新聞を読む時）へと位置を変えるときに目の表面を横切る移動量は、多焦点交代視型コンタクトレンズの前面の下部分上の傾斜隆起ゾーンによって制御される。
【００４５】
本発明の多焦点交代視型レンズの中間視ゾーンの好ましい実施態様は、遠方視から近方視へと連続的に変化する屈折力を有する累進屈折力ゾーンである（図５）。
【００４６】
この累進屈折力ゾーンを有する三焦点コンタクトレンズまたは多焦点交代視型コンタクトレンズの効果的な使用では、遠距離にある対象の凝視（最初の凝視）から中間距離にある対象の凝視（一部下方または半下方凝視）または近距離の対象の凝視（全下方凝視）へと目を動かしたとき、目の表面を横切る様々な移動量が必要とされる。下瞼との相互作用の度合いが傾斜部のカーブまたは傾きおよび目の下瞼の緩みに依存することから、様々な移動量に関するこのような要求は、傾斜隆起ゾーン中の曲率または傾きを変化させることによって達成することができる。所定の個人に対する移動量と傾斜部の曲率または傾きとの間の相互関係は、当業者が経験により得ることができる。好ましくは、移動量と傾斜部のカーブまたは傾きとの間の相互関係は、人口調査によって導かれる。
【００４７】
当業者に容易に理解されるように、本発明の傾斜隆起ゾーンを、装用者の乱視を矯正するための、円柱状の光学面または屈折力を有するトーリックソフトコンタクトレンズに組み込むことができる。トーリックコンタクトレンズは、目においてあらかじめ決定された方向を提供する特性を必要とする。本発明の好ましい実施態様は、後面およびこれと反対側の前面を含むトーリックソフトコンタクトレンズを提供する。前面は、光学ゾーンと、前面の下部分上の傾斜隆起ゾーンとを含み、この場合、前面の一次導関数は、中心からエッジへと連続している。好ましくは、前面の二次導関数が、中心からエッジへと連続している。
【００４８】
本発明の交代視型コンタクトレンズは、典型的には、シリコンハイドロゲルまたはＨＥＭＡのようなソフトコンタクトレンズ材料から作製される。あらゆるソフトコンタクトレンズ材料からなる上述の全てのレンズが本発明の範囲内にあることが理解されるであろう。
【００４９】
本発明の交代視型コンタクトレンズは、従来手法、例えば切削および成形のような手法によって製造することができる。好ましくは、コンタクトレンズは、レンズが型で注型されるときにコンタクトレンズ表面を再現する成形表面を含むコンタクトレンズ型から成形される。例えば、数値制御旋盤を備えた光学切削工具を使用して、本発明の交代視型コンタクトレンズの前面の特徴を組み込んだ金属製の光学工具を形成することができる。さらに、この工具を、前面型を作製するために使用し、その後、この前面型を後面型と共に使用して、型の間に注入される適当な液体のレンズ作製材料を使用して本発明のレンズを作製し、続いてレンズ作製材料の圧縮および硬化を行う。
【００５０】
好ましくは、複雑な表面特徴を有するコンタクトレンズまたは同じものを作製するために使用される光学工具は、数値制御旋盤、例えば、全体が参照として本明細書に組み込まれるコンタクトレンズの製造方法という発明の名称で同時係属出願中の米国特許出願に記載の方法による、Precitech IncのVariform ピエゾセラミック高速工具サーボアタッチメントを備えたOptoform社の超精密旋盤（３０、４０、５０および８０型）のような数値制御旋盤を使用することにより製造される。
【００５１】
例示的な実施態様として、図３Ｆに示す傾斜隆起ゾーンを有する交代視型コンタクトレンズの製造を以下に説明する。
【００５２】
まず、使用者が、表面公差、同心度公差、レンズ設計の方向、前面および後面のそれぞれに対し作製すべきスポークの数、０でのゼロ点生成、０、Ｚ軸線の方向および幾何学的形状に変換されるレンズ表面のタイプ（凹面または凸面）のような一連のパラメータを定義する。
【００５３】
「表面公差」は、レンズ設計の表面での理想の位置から投影された点の位置の許容されるずれを指す。このずれは、レンズ設計の中心軸に対して平行または垂直な方向にいずれかである場合がある。
【００５４】
「同心度公差」は、付与された円弧からの点の許容されるずれを指す。
【００５５】
「スポーク」は、中心軸から放射状に外方に延びる射線を指し、中心軸に対して垂直である。
【００５６】
「半径スポーク」は、レンズ設計の中心軸からエッジへ延びる線分を指す。
【００５７】
「等間隔に配置された半径スポーク」とは、全ての半径スポークが中心軸から外方に放射線状に延び、かつ、１つの等しい角度で互いに隔離されていることを意味する。
【００５８】
「点間隔」とは、半径スポークに沿った２点間の距離を指す。
【００５９】
次に、使用者が、中心軸に対して平行方向に等間隔に配置された半径スポークの数のそれぞれに従い、レンズ設計の表面（例えば前面）に投影すべき点の数を決定する。一方位角での半径スポークには、前面の２つのバンプの一方が配置され、半径試用スポークとして選択される。等間隔に配置された点を半径試用スポークに沿って投影し、半径試用スポークでは、各対の点は１０ミクロンの点間隔で分離されている。その後、全ての投影点を一群のグループに分割し、各グループは、連続した３点、すなわち第１の点、中間点および第３の点からなっている。各点は、１つのグループまたは２つのグループに属することができる。中心軸からエッジへまたはエッジから中心軸へ一度に１グループずつ、グループの中間点での表面のカーブを、これに対応するグループの中間点と、第１の点および第３の点を結ぶ線との間の距離をあらかじめ決められた表面公差と比較することによって分析する。そのグループの中間点と、第１の点および第３の点を結ぶ線との間の距離があらかじめ決められた表面公差より大きい場合には、その点での表面のカーブは鋭く、グループの第１の点および中間点の間に付加的な点を投影する。第１の点と付加的な点との間の点間隔は、付加的な点と中間点との間の点間隔に等しい。付加的な点を加えた後、新たに加えた点を含めた全ての点を再グループ化して、各一群のグループの中間点での表面のカーブを分析する。このような繰り返し手順を、各一群のグループの中間点と、試用スポークに沿った対応するグループの第１の点および第３の点を結ぶ線との間の距離が、あらかじめ決定された表面公差に等しくなるかまたはそれより小さくなるまで繰り返す。このようにして、等間隔に配置された所望の数の各半径スポークおよび一群の隣接点の対に対する点間隔に沿って、レンズ設計の表面上に投影すべき点の数が決定される。
【００６０】
上述のように決定された数の点を、９６の半径スポークのそれぞれに従い、図３Ｆに示されたレンズ設計の前面上に投影する。半径スポークのそれぞれに対し、一次導関数で連続な半経線が形成される。半経線は、一群の円弧および場合によっては直線を含み、この場合、各円弧は、所望の同心度公差内で、少なくとも３つの連続的な点を球の数学的関数に当てはめることにより定義される。各直線は、少なくとも３つの連続的な点を結ぶことによって得られる。好ましくは、円弧を適合させる手順を、中心軸からエッジへ進める。
【００６１】
同様に、図３Ｆに示すレンズ設計の後面の幾何学的形状への変換を、上述の手順により実行することができる。
【００６２】
図３Ｆに示したレンズ設計を、製造システムで製造されるコンタクトレンズの幾何学的形状に変換した後、ヘッダのための情報および幾何学的形状に関する情報の両方を含むミニファイルを生成する。このミニファイルは、他の経線各々の平均の高さに基づいており、ゼロ位置に基づいてVariformの振動計算が可能となるゼロ位置をVariformに与えるゼロ半経線も含んでいる。このミニファイルでは、全ての半経線が同数のゾーンを有している。このことは、全ての経線に対してゾーン数を等しくするために半経線の前ゾーンを繰り返しコピーすることによって達成される。ミニファイルは、完成後、Variformピエゾセラミック高速工具サーボアタッチメントを備えたOptoform社の超精密旋盤（３０、４０、５０または８０型）にロードし、交代視型コンタクトレンズを製造するために実行する。
【００６３】
別の実施態様では、本発明は、本発明による交代視型コンタクトレンズの製造方法を提供する。この方法は、一製造手段によって、中心軸、前面および反対側にある後面を有するコンタクトレンズを成形するステップを含み、後面が光学ゾーンを有し、前面が、光学ゾーンと、最初の凝視における目の上のコンタクトレンズの位置および/または遠距離にある対象物の凝視から中間距離にある対象物または近距離の対象物の凝視へと目を動かすときに目を横切る移動量を制御することのできる傾斜隆起ゾーンとを有しており、傾斜隆起ゾーンが、光学ゾーンの下に配置され、上部エッジと、下部傾斜エッジと、前面から外方へ延びる緯度方向隆起部および下部傾斜エッジから下方に延びる傾斜部とを含み、下瞼が傾斜隆起ゾーンに当たる場所に依存して傾斜隆起ゾーンと下瞼との間の様々な度合いの相互作用を提供する曲率または傾きを有する。目の下瞼は、傾斜隆起部の少なくともいくつかの部分に常に接している。
【００６４】
読者が無駄な実験を行うことなく本発明を実施できるように、いくつかの好ましい実施態様を特に参照して本発明を詳細に説明した。前述の多くの要素、構成および/またはパラメータを本発明の範囲および思想から逸脱することなく変化させまたは変更できることは、合理的な程度に、当業者によって容易に理解されるであろう。さらに、発明の名称、見出し、例示的な材料またはこれに類似するものは、この明細書に対する読者の理解を高めるために提供されているのであって、本発明の範囲を制限するものとしてとらえられるべきではない。したがって、本発明は、記載された特許請求の範囲、ならびにその正当な拡大およびこれと均等なものによって規定される。
【図面の簡単な説明】
【００６５】
【図１Ａ】図１Ａは、本発明の好ましい実施態様の正面図である。
【図１Ｂ】図１Ｂは、水平方向の軸線に沿って拡大された、図１Ａに示した好ましい実施態様の、線１Ｂ−１Ｂに沿った横断面図である。
【図１Ｃ】図１Ｃは、図１Ｂの部分詳細図である。
【図２】図２は、本発明の好ましい実施態様の、混合カーブの傾斜スロープと半径との関係を示す図である。
【図３Ａ】図３Ａは、本発明の好ましい実施態様の、平らな下部傾斜エッジおよび平らな緯度方向隆起部を含む傾斜隆起ゾーンを有する交代視型コンタクトレンズを概略的に示した図である。
【図３Ｂ】図３Ｂは、本発明の好ましい実施態様の、平らな下部傾斜エッジおよび平らな緯度方向隆起部を含む傾斜隆起ゾーンを有する交代視型コンタクトレンズを概略的に示した図である。
【図３Ｃ】図３Ｃは、本発明の好ましい実施態様の、平らな下部傾斜エッジおよび平らな緯度方向隆起部を含む傾斜隆起ゾーンを有する交代視型コンタクトレンズを概略的に示した図である。
【図３Ｄ】図３Ｄは、本発明の好ましい実施態様の、平らな下部傾斜エッジおよび平らな緯度方向隆起部を含む傾斜隆起ゾーンを有する交代視型コンタクトレンズを概略的に示した図である。
【図３Ｅ】図３Ｅは、本発明の好ましい実施態様の、平らな下部傾斜エッジおよび平らな緯度方向隆起部を含む傾斜隆起ゾーンを有する交代視型コンタクトレンズを概略的に示した図である。
【図３Ｆ】図３Ｆは、本発明の好ましい実施態様の、緯度方向隆起部の２つの端部に２つのバンプを含む傾斜隆起ゾーンを有する交代視型コンタクトレンズを概略的に示した図である。
【図３Ｇ】図３Ｇは、本発明の好ましい実施態様の、緯度方向隆起部の２つの端部に２つのバンプを含む傾斜隆起ゾーンを有する交代視型コンタクトレンズを概略的に示した図である。
【図３Ｈ】図３Ｈは、本発明の好ましい実施態様の、緯度方向隆起部の２つの端部に２つのバンプを含む傾斜隆起ゾーンを有する交代視型コンタクトレンズを概略的に示した図である。
【図３Ｉ】図３Ｉは、本発明の好ましい実施態様の、緯度方向隆起部の２つの端部に２つのバンプを含む傾斜隆起ゾーンを有する交代視型コンタクトレンズを概略的に示した図である。
【図３Ｊ】図３Ｊは、本発明の好ましい実施態様の、緯度方向隆起部の２つの端部に２つのバンプを含む傾斜隆起ゾーンを有する交代視型コンタクトレンズを概略的に示した図である。
【図４Ａ】図４Ａは、水平方向の遠方視ゾーンおよび近方視ゾーンを有する光学ゾーンの正面図である。
【図４Ｂ】図４Ｂは、非円形の遠方視ゾーンを有する光学ゾーンの正面図である。
【図４Ｃ】図４Ｃは、円形の遠方視ゾーンおよび近方視ゾーンを有する光学ゾーンの正面図である。
【図５】図５は、累進屈折力を有する光学ゾーンの光学屈折力プロファイルを概略的に示した図である。
2005534064.tif 000003
【図２】
2005534064.tif 000004
2005534064.tif 000005
2005534064.tif 000006
2005534064.tif 000007
2005534064.tif 000008
【図４Ａ】
2005534064.tif 000009
【図４Ｂ】
2005534064.tif 000010
【図４Ｃ】
2005534064.tif 000011
【図５】
2005534064.tif 000012
【国際調査報告】
2005534064.tif 000013
2005534064.tif 000014
2005534064.tif 000015